(57)【要約】【課題】  スライディング／回転タイプ携帯端末機において、本体ハウジングからスライディング移動及び回転移動可能に構成したスライディング／回転タイプ携帯端末機のスライディング／ヒンジ装置を提供すること。【解決手段】  本体ハウジングと、液晶表示部を備えたスライドハウジングと、から構成されたスライディング／回転タイプ携帯端末機のスライディング／ヒンジ装置において、前記本体ハウジング内にネジで装着される第１及び第２のヒンジフレームと；第１及び第２のプレートと；少なくとも一つのスライドバーと；第１及び第２のヒンジフレームの中心部を挿通し、第１及び第２のヒンジフレームを向かい合う状態で回転可能に結合させる結合手段と；を備える。【選択図】  図１
2005147401.tif 000002
【特許請求の範囲】
【請求項１】
本体ハウジングと、該本体ハウジング上にスライディング可能に結合されるスライドハウジングと、から構成されたスライディングタイプ／回転タイプ携帯端末機のスライディング／ヒンジ装置であって、
前記本体ハウジング内に装着される第１のヒンジフレームと；
前記第１のヒンジフレームと向かい合う状態に配置され、前記スライドハウジングをスライディング移動可能にし、ヒンジ軸を中心として回転可能にする第２のヒンジフレームと；
前記第２のヒンジフレームにスライディング可能に結合され、前記スライドハウジングに固定される第１及び第２のプレートと；
前記第２のヒンジフレームと第１のプレートとの間に配設される少なくとも一つのスライドバーと；
前記第１及び第２のヒンジフレームの中心部を挿通し、これら第１及び第２のヒンジフレームを向かい合う状態に回転可能に結合させる結合手段と；
から構成されたことを特徴とするスライディング／回転タイプ携帯端末機のスライディング／ヒンジ装置。
【請求項２】
前記本体ハウジングの上面の所定の箇所には、前記第１及び第２のヒンジフレームが装着されるように締結穴がさらに形成されることを特徴とする請求項１に記載のスライディング／回転タイプ携帯端末機のスライディング／ヒンジ装置。
【請求項３】
前記結合手段は、
前記第１及び第２のヒンジフレームの中心部を挿貫し、前記第１及び第２のヒンジフレームを向かい合う状態に回転可能に結合させるブシュと；
前記ブシュの下端に嵌め付けられるスナップリングと；
から構成されたことを特徴とする請求項１に記載のスライディング／回転タイプ携帯端末機のスライディング／ヒンジ装置。
【請求項４】
前記第１のヒンジフレームは、
前記ヒンジフレームの上端面に形成されて、第２のヒンジフレームの回転によるすき間を調節する１対のストッパーと；
前記ヒンジフレームの中心部に形成された第１のヒンジフレーム側貫通穴と；
前記貫通穴の周りに円周方向に沿って等間隔で形成されて、ボールを安着させる少なくとも一つのボール溝と；
前記それぞれのボール溝と相互に連結され、前記ボールの移動をガイドするボールガイド溝と；
前記ボール溝の外周の所定の箇所に形成され、前記第２のヒンジフレームと接して前記スライドハウジングの回転を止める１対の回転ストッパーと；
前記本体ハウジング内にネジで結合されるように前記第１のヒンジフレームに形成された少なくとも一つのネジ締結部と；
から構成されることを特徴とする請求項１に記載のスライディング／回転タイプ携帯端末機のスライディング／ヒンジ装置。
【請求項５】
前記１対の回転ストッパーは、向かい合って対称形成されることを特徴とする請求項４に記載のスライディング／回転タイプ携帯端末機のスライディング／ヒンジ装置。
【請求項６】
前記第２のヒンジフレームは、
このヒンジフレームの中心部に形成された第２のヒンジフレーム側貫通穴と；
前記貫通穴の周りに沿ってヒンジ軸の下方に延在するシリンダーと；
前記シリンダーの下端面に形成され、その内側に圧縮バネを備え、シリンダーの周りに円周方向に沿って等間隔で形成される少なくとも一つのバネ穴と；
前記バネ穴に配置され、圧縮バネの弾性力を受けて該当のバネ穴の下端から出、前記第１のヒンジフレームのボール溝と選択的に噛み合う少なくとも一つのボールと；
前記第２のヒンジフレームの上端面に形成され、前記スライドバーがスライディング可能にそれぞれ結合される１対のガイド溝と、
前記第２のヒンジフレームの上面一側に形成され、前記スライドバーと接して前記スライドバーのスライディング移動を止めるストッパー突起と；
から構成されることを特徴とする請求項１に記載のスライディング／回転タイプ携帯端末機のスライディング／ヒンジ装置。
【請求項７】
前記第１のプレートは、
前記第１のプレートの外周縁に沿って形成された複数の結合穴と；
前記それぞれのスライドバーをネジ結合により固定させるための少なくとも一つのネジ穴と；
前記第１のプレートの所定の箇所に形成され、軟性回路が貫通する第１のプレート側貫通穴と；
前記第１のプレートの長手方向に沿って形成され、前記リングバネをガイドすると同時に支持する支持突起と；
前記第１のプレートの長手方向に沿って形成されて、前記リングバネをガイドする１対のガイド穴と；
から構成されることを特徴とする請求項１に記載のスライディング／回転タイプ携帯端末機のスライディング／ヒンジ装置。
【請求項８】
前記第１のプレートには、前記スライドバーに形成された突起と結合されて固定されるように、前記第１のプレートの長手方向に沿って複数の固定穴がさらに形成されることを特徴とする請求項１に記載のスライディング／回転タイプ携帯端末機のスライディング／ヒンジ装置。
【請求項９】
前記第２のプレートは、
前記第２のプレートの外周縁に沿って形成されて、前記第１のプレートの結合穴と結合される複数の結合突起と；
前記第２のプレートの上端面に形成されて、前記スライドハウジングとネジで固定される少なくとも一つのネジ穴と；
前記第２のプレートの所定の箇所に形成されて、前記リングバネの一端と結合される１対のピンと；
前記第２のプレートの所定の箇所に形成されて、軟性回路が貫通する第２のプレート側貫通穴と；
とから構成されることを特徴とする請求項１に記載のスライディング／回転タイプ携帯端末機のスライディング／ヒンジ装置。
【請求項１０】
前記第１及び第２のプレートの間には、前記スライドハウジングが半自動でスライディング移動するように弾性力を提供する１対のリングバネが配設されることを特徴とする請求項１に記載のスライディング／回転タイプ携帯端末機のスライディング／ヒンジ装置。
【請求項１１】
前記リングバネの一端は、前記第１のプレートのガイド穴を貫通し、前記第２のヒンジフレームの上端面に形成された支持溝に結合され、他端は、前記第２のプレートに形成されたピンと結合されることを特徴とする請求項１０に記載のスライディング／回転タイプ携帯端末機のスライディング／ヒンジ装置。
【請求項１２】
前記それぞれのスライドバーは、
前記プレートの長手方向に形成され、前記第２のヒンジフレームに形成されたガイド溝に結合される１対の第１のスライドバーと、
前記第１のスライドバーの一端に備えられて、前記第１のスライドバーを支持すると同時に、前記第２のヒンジフレームのストッパー突起と接して前記スライドバーのスライディング移動を止める第２のスライドバーと；
前記第１のスライドバーの他端に備えられて、前記第１のスライドバーを支持する第３のスライドバーと；
から構成されることを特徴とする請求項１に記載のスライディング／回転タイプ携帯端末機のスライディング／ヒンジ装置。
【請求項１３】
本体ハウジングと、前記本体ハウジング上にスライディング可能に結合されるスライドハウジングと、から構成されたスライディングタイプ／回転タイプ携帯端末機のスライディング／ヒンジ装置であって、、
前記本体ハウジング内に装着される第１のヒンジフレームと；
前記第１のヒンジフレームと向かい合う状態に貫通結合し、前記スライドハウジングをスライディング移動可能にし、ヒンジ軸を中心として回転可能にする円筒形のヒンジハウジングを有する第２のヒンジフレームと；
前記第２のヒンジフレームにスライディング可能に結合され、前記スライドハウジングに固定される第１及び第２のプレートと；
前記第２のヒンジフレームと第１のプレートとの間に配設される少なくとも一つのスライドバーと；
前記第１及び第２のヒンジフレームの間に配設され、前記第２のヒンジフレームを、前記第１のヒンジフレームと向かい合う状態で回転可能にする回転ワッシャと；
前記ヒンジハウジングの下端に嵌め付けられるスナップリングと；
から構成されたことを特徴とするスライディング／回転タイプ携帯端末機のスライディング／ヒンジ装置。
【請求項１４】
前記本体ハウジングの上面の所定の箇所には、前記第１及び第２のヒンジフレームが装着される締結穴がさらに形成されることを特徴とする請求項１３に記載のスライディング／回転タイプ携帯端末機のスライディング／ヒンジ装置。
【請求項１５】
前記第１のヒンジフレームは、
前記ヒンジフレームの上端面に形成されて、第２のヒンジフレームの回転によるすき間を調節するための１対のストッパーと；
前記ヒンジフレームの中心部に形成された第１のヒンジフレーム側貫通穴と；
前記貫通穴の周りに円周方向に沿って等間隔で形成される少なくとも一つのワッシャ溝と；
前記ワッシャ溝の外周の所定の箇所に形成され、前記第２のヒンジフレームと接して前記スライドハウジングの回転を止める１対の回転ストッパーと；
前記第１のヒンジフレームに形成されて、前記本体ハウジング内にネジで結合される少なくとも一つのネジ締結部と；
から構成されることを特徴とする請求項１３に記載のスライディング／回転タイプ携帯端末機のスライディング／ヒンジ装置。
【請求項１６】
前記１対の回転ストッパーは、向かい合って対称形成されることを特徴とする請求項１５に記載のスライディング／回転タイプ携帯端末機のスライディング／ヒンジ装置。
【請求項１７】
前記第２のヒンジフレームは、
前記ヒンジフレームの中心部においてヒンジ軸の下方に一体に突設された円筒形のヒンジハウジングと；
前記ヒンジハウジングの中心部に形成された第２のヒンジフレーム側貫通穴と；
前記第２のヒンジフレームの下端面において前記ヒンジハウジングの円周方向に沿って形成され、その内側に圧縮バネを備える少なくとも一つのバネ支持突起と；
前記第２のヒンジフレームの上端面に形成され、前記スライドバーとスライディング可能に結合される１対のガイド溝と；
前記第２のヒンジフレームの上面一側に形成され、前記スライドバーと接して前記スライドバーのスライド移動を止めるストッパー突起と；
から構成されることを特徴とする請求項１３に記載のスライディング／回転タイプ携帯端末機のスライディング／ヒンジ装置。
【請求項１８】
前記回転ワッシャは、
前記第１のヒンジフレームに形成された該当のワッシャ溝に結合されるように、前記ワッシャの円周方向に沿って等間隔で形成された少なくとも一つのワッシャ突起と；
前記回転ワッシャの内側に形成され、前記ヒンジハウジングに形成された固定溝に固定される１対の固定突起と；
から構成されることを特徴とする請求項１３に記載のスライディング／回転タイプ携帯端末機のスライディング／ヒンジ装置。
【請求項１９】
前記第２のヒンジフレームと前記回転ワッシャとの間には、前記ワッシャ突起が前記第１のヒンジフレームのワッシャ溝に安着され、前記ワッシャ溝に前記ワッシャ突起が噛み合うか、該当のワッシャ溝から離脱するように弾性力を提供する圧縮バネが配設されることを特徴とする請求項１３に記載のスライディング／回転タイプ携帯端末機のスライディング／ヒンジ装置。
【請求項２０】
本体ハウジングと、前記本体ハウジング上にスライディング可能に結合されるスライドハウジングと、から構成されたスライディングタイプ／回転タイプ携帯端末機のスライディング／ヒンジ装置であって、、
前記本体ハウジング内に装着される第１のヒンジフレームと；
前記第１のヒンジフレームと向かい合う状態に配置され、前記スライドハウジングをスライディング移動可能にし、ヒンジ軸を中心として回転可能にする第２のヒンジフレームと；
前記第２のヒンジフレームに、スライディング移動及び回転可能に結合される第１のプレートと、前記第１のプレートと結合され、前記スライドハウジングに固定される第２のプレートと；
前記第２のヒンジフレームと第１のプレートとの間に配設される少なくとも一つのスライドバーと；
前記第１のヒンジフレームの所定の箇所に形成されたガイドピンと；
前記第１のプレートに形成され、前記ガイドピンと結合されて、前記ガイドピンをスライディング移動及び回転可能にガイドするピンガイド穴と；
から構成されたことを特徴とするスライディング／回転タイプ携帯端末機のスライディング／ヒンジ装置。
【請求項２１】
前記ピンガイド穴の上部は、前記第１のプレートの長手方向に沿って所定の長さに形成され、下部は、前記スライドハウジングが回転されるように曲線で形成されることを特徴とする請求項２０に記載のスライディング／回転タイプ携帯端末機のスライディング／ヒンジ装置。
【請求項２２】
本体ハウジングと、前記本体ハウジング上にスライディング可能に結合されるスライドハウジングと、から構成されたスライディングタイプ／回転タイプ携帯端末機のスライディング／ヒンジ装置であって、、
前記本体ハウジング内に装着される第１のヒンジフレームと；
前記第１のヒンジフレームと向かい合う状態に配置され、ヒンジ軸を中心として前記スライドハウジングを回転可能にする第２のヒンジフレームと；
前記第２のヒンジフレームに固定され、それぞれのスライドバーを備え、前記スライドハウジングをスライディング移動可能にする第１及び第２のプレートと；
前記第１のプレートの両側面に取り付けられ、それらの間には前記第２のプレートがスライディング可能に備えられる第１及び第２のスライドバーと；
前記第１のヒンジフレームの所定の箇所に備えられ、前記第２のプレートに形成されたガイド部に沿ってガイドされるガイドピンと；
から構成されたことを特徴とするスライディング／回転タイプ携帯端末機のスライディング／ヒンジ装置。
【請求項２３】
前記本体ハウジングの上面の所定の箇所には、前記第１及び第２のヒンジフレームが装着される締結穴がさらに形成されることを特徴とする請求項２２に記載のスライディング／回転タイプ携帯端末機のスライディング／ヒンジ装置。
【請求項２４】
前記第１のヒンジフレームは、
前記ヒンジフレームの中心部に形成された第１のヒンジフレーム側貫通穴と；
前記貫通穴の外周に円周方向に沿って等間隔で形成されて、ボールを安着させる少なくとも一つのボール溝と；
前記ボール溝と相互に連結されて、前記ボールの移動をガイドするボールガイド溝と；
前記ボール溝の外周の所定の箇所に形成されて、前記第２のヒンジフレームと接して前記スライドハウジングの回転を止めるストッパー突起と；
前記第１のヒンジフレームの所定の箇所に形成されて、前記ガイドピンと結合されるピン穴と；
前記第１のヒンジフレームに形成されて、前記本体ハウジング内側にネジで固定される少なくとも一つのネジ締結部と；
から構成されることを特徴とする請求項２２に記載のスライディング／回転タイプ携帯端末機のスライディング／ヒンジ装置。
【請求項２５】
前記第１のヒンジフレームは、ポリカーボネート材質からなることを特徴とする請求項２２に記載のスライディング／回転タイプ携帯端末機のスライディング／ヒンジ装置。
【請求項２６】
前記第２のヒンジフレームは、
前記ヒンジフレームの中心部に形成された第２のヒンジフレーム側貫通穴と；
前記貫通穴の周りに沿ってヒンジ軸の下方に延在するシリンダーと；
前記シリンダーの下端面に形成され、その内側に圧縮バネが装着され、シリンダーの周りに向かい合って対称形成される１対のバネ穴と；
前記バネ穴にそれぞれ配置され、圧縮バネの弾性力を受けて前記バネ穴の下端から出、前記第１のヒンジフレームの該当のボール溝と選択的に噛み合う１対のボールと；
前記第２のヒンジフレームの円周に形成されて、前記第１のプレートに固定される１対の締結部と；
前記締結部の一側に形成され、前記第１のヒンジフレームのストッパー突起と接して前記スライドハウジングの回転を止めるストッパー部と；
から構成されることを特徴とする請求項２２に記載のスライディング／回転タイプ携帯端末機のスライディング／ヒンジ装置。
【請求項２７】
前記シリンダーの一端には、前記第１のヒンジフレームの中心部を貫通して前記第１及び第２のヒンジフレームを向かい合う状態で回転可能に結合させるスナップリングが嵌め付けられることを特徴とする請求項２６に記載のスライディング／回転タイプ携帯端末機のスライディング／ヒンジ装置。
【請求項２８】
前記１対の締結部は、前記第１のプレートに形成された固定穴に結合される固定突起が突設され、
前記固定突起の両側には、前記第１のプレートに形成されたネジ締結部と結合される少なくとも一つの結合溝が形成され、
前記結合溝には、ネジが結合されるネジ穴が形成されることを特徴とする請求項２６に記載のスライディング／回転タイプ携帯端末機のスライディング／ヒンジ装置。
【請求項２９】
前記第１のプレートは、
前記第１のプレートの両側面に、前記スライドハウジングの長手方向に沿って形成され、前記それぞれのスライドバーをネジで固定させるバー締結部と；
前記第１のプレート内の所定の箇所に形成されて、前記第２のヒンジフレームの固定突起と結合される１対の固定穴と；
前記固定穴の上・下部に形成されて、前記第２のヒンジフレームの結合溝に結合される少なくとも一つの第１のプレート側ネジ締結部と；
前記第１のプレート内の所定の箇所に形成されて、前記リングバネの一端と結合されるようにリベットピンを貫通させて固定する１対のリベットピン溝と；
から構成されることを特徴とする請求項２２に記載のスライディング／回転タイプ携帯端末機のスライディング／ヒンジ装置。
【請求項３０】
前記第１のプレート側ネジ締結部は、前記プレートの下方に突出されて前記第２のヒンジフレームの結合溝に結合されることを特徴とする請求項２９に記載のスライディング／回転タイプ携帯端末機のスライディング／ヒンジ装置。
【請求項３１】
前記第２のプレートは、
前記第２のプレートの両側面に前記第２のプレートの長手方向に沿って形成され、前記それぞれのスライドバーがスライディング移動可能に結合されるガイド溝と；
前記第２のプレートの一側面に形成され、前記スライドハウジングがスライディング移動及び回転するように前記ガイドピンをガイドするガイド部と；
前記第２のプレートの所定の箇所に形成されて、前記リングバネの他端が結合されるバネ締結穴と；
前記第２のプレートの所定の箇所に形成され、軟性回路が貫通する第２のプレート側貫通穴と；
前記第２のプレートの両側の所定の箇所に、前記プレートの長手方向に形成される第２のプレート側ネジ穴と；
から構成されることを特徴とする請求項２２に記載のスライディング／回転タイプ携帯端末機のスライディング／ヒンジ装置。
【請求項３２】
前記第１及び第２のプレートの間には、前記スライドハウジングが半自動でスライディング移動するように弾性力を提供する１対のリングバネが配設されることを特徴とする請求項２２に記載のスライディング／回転タイプ携帯端末機のスライディング／ヒンジ装置。
【請求項３３】
前記リングバネの一端は、貫通する前記リベットピンによって、前記第１のプレートに形成されたリベットピン溝に結合され、他端は、前記第２のプレートに形成されたバネ締結穴と結合されることを特徴とする請求項３２に記載のスライディング／回転タイプ携帯端末機のスライディング／ヒンジ装置。
【請求項３４】
前記第１及び第２のスライドバーの一側面には、前記プレートの長手方向に提供され、前記ガイド溝に結合されるガイド突起がさらに形成されることを特徴とする請求項２２に記載のスライディング／回転タイプ携帯端末機のスライディング／ヒンジ装置。
【請求項３５】
前記第２のスライドバーは、前記第１のスライドバーに比べてその長さが短く形成されることを特徴とする請求項３４に記載のスライディング／回転タイプ携帯端末機のスライディング／ヒンジ装置。
【請求項３６】
前記ガイド部の上部は、前記スライドハウジングがスライディング移動するように、前記第２のプレートの長手方向に沿って所定の長さに形成され、下部は、前記スライドハウジングが回転されるように、曲線で形成されることを特徴とする請求項３１に記載のスライディング／回転タイプ携帯端末機のスライディング／ヒンジ装置。
【請求項３７】
本体ハウジングと、前記本体ハウジング上にスライディング可能に結合されるスライドハウジングと、から構成されたスライディングタイプ／回転タイプ携帯端末機のスライディング／ヒンジ装置であって、、
前記本体ハウジングに装着される第１のヒンジフレームと；
前記スライドハウジングがヒンジ軸を中心として回転するように、前記第１のヒンジフレームと向かい合う状態に結合される第２のヒンジフレームと；
前記第２のヒンジフレームに固定されて、前記スライドハウジングをスライディング移動可能にする第１及び第２のプレートと；
前記第１及び第２のプレートの両側面に形成されて、前記第２のプレートをスライディング可能にガイドするガイド手段と；
前記本体ハウジングの上面の所定の箇所に形成されて、前記第１及び第２のプレートをスライディング移動及び回転可能にし、スライディング移動及び回転する前記第１及び第２のプレートを止めるストッパーピンと；
から構成されたことを特徴とするスライディング／回転タイプ携帯端末機のスライディング／ヒンジ装置。
【請求項３８】
前記本体ハウジングには、マイク装置及び複数のキーパッドが提供され、前記キーパッドと隣接する箇所に複数の補助キーパッドがさらに提供されることを特徴とする請求項３７に記載のスライディング／回転タイプ携帯端末機のスライディング／ヒンジ装置。
【請求項３９】
前記スライドハウジングには、複数の補助キーパッド及びスピーカー装置がさらに提供されることを特徴とする請求項３７に記載のスライディング／回転タイプ携帯端末機のスライディング／ヒンジ装置。
【請求項４０】
前記本体ハウジングの上面の所定の箇所において、前記第１及び第２のヒンジフレームを装着するためのハウジング側挿入溝が前記ハウジングの内側方向に形成され、
前記ハウジング側挿入溝の外周に沿って等間隔で少なくとも一つのネジ溝が形成され、
前記ハウジング側挿入溝内には、前記第１のヒンジフレームに形成された固定突起と結合される少なくとも一つの固定穴がさらに形成されることを特徴とする請求項３７に記載のスライディング／回転タイプ携帯端末機のスライディング／ヒンジ装置。
【請求項４１】
前記第１のヒンジフレームは、
前記ヒンジフレームの中心部に形成された第１のヒンジフレーム側貫通穴と；
前記貫通穴の外周に円周方向に沿って所定の長さに形成されて、前記スライドハウジングが回転されるようにボールをガイドするボールガイド溝と；
前記ボールガイド溝の両端に形成されて、前記ボールを安着させる少なくとも一つのボール溝と；
前記貫通穴と前記ボールガイド溝との間に突出形成されたストッパー突起と；
前記第１のヒンジフレームの外周に円周方向に沿って等間隔で形成されて、前記本体ハウジングに形成されたそれぞれのネジ溝と結合される少なくとも一つのネジ締結部と；
前記第１のヒンジフレームの下端面に形成されて、前記ハウジング側挿入溝内に形成された固定穴に挿入固定される少なくとも一つの固定突起と；
から構成されることを特徴とする請求項３７に記載のスライディング／回転タイプ携帯端末機のスライディング／ヒンジ装置。
【請求項４２】
前記第２のヒンジフレームは、
前記ヒンジフレームの中心部に形成された第２のヒンジフレーム側貫通穴と；
前記貫通穴の周りに沿ってヒンジ軸の下方に延在するシリンダーと；
前記シリンダーと隣接する箇所に形成されて、その内側に圧縮バネが装着されるバネ穴と；
前記バネ穴に配置され、圧縮バネの弾性力を受けて前記バネ穴の下端から出、前記スライドハウジングを回転させるか、前記スライドハウジングの回転を止めるように、前記ボールガイド溝と前記該当のボール溝に噛み合うボールと；
前記貫通穴と前記バネ穴との間において前記貫通穴の円周に沿って形成され、前記第１のヒンジフレームのストッパー突起と結合されて、前記スライドハウジングをガイドすると同時に、前記スライドハウジングの回転を止めるストッパー穴と；
前記第２のヒンジフレームの円周に形成されて、前記第１のプレートと結合されるようにネジを貫通させる少なくとも一つのネジ締結穴と；
前記第２のヒンジフレームの上面に形成されて、前記第１のプレートと結合される少なくとも一つの締結突起と；
から構成されることを特徴とする請求項３７に記載のスライディング／回転タイプ携帯端末機のスライディング／ヒンジ装置。
【請求項４３】
前記第１のプレートは、
前記第１のプレートの両側面に、前記スライドハウジングの長手方向に沿って形成された第１及び第２のスライドバーと；
前記第１のプレート内の所定の箇所に形成されて、前記第２のヒンジフレームのネジ締結穴を貫通したネジと結合されるように形成された少なくとも一つのネジ穴と；
前記第１のプレート内の所定の箇所に形成されて、前記第２のヒンジフレームの締結突起と結合される少なくとも一つのプレート側固定穴と；
前記第１のプレート内の所定の箇所に形成されて、貫通するリベットピンによって、リングバネの一端と固定される１対のリベットピン溝と；
前記第１のプレートの一端に形成されて、前記スライドハウジングの内側と接触してスライディング移動を止めるストッパー部と；
から構成されることを特徴とする請求項３７に記載のスライディング／回転タイプ携帯端末機のスライディング／ヒンジ装置。
【請求項４４】
前記第１及び第２のスライドバーの両端には、前記各プレートがスライディング移動するときに、前記スライドハウジングとの接触による衝撃を吸収するように、少なくとも一つの衝撃吸収材が装着され、
前記第１のプレートの下側面には、前記ネジ穴をそれぞれ支持する少なくとも一つのネジ支持突起がさらに設けられることを特徴とする請求項４３に記載のスライディング／回転タイプ携帯端末機のスライディング／ヒンジ装置。
【請求項４５】
前記第２のプレートは、
前記第２のプレートの一側面に形成され、前記スライドハウジングがスライディング移動及び回転するように前記ストッパーピンをガイドするガイド部と；
前記第２のプレートの所定の箇所に形成されて、前記リングバネの他端と結合されるバネ締結穴と；
前記第２のプレートの所定の箇所に形成されて、軟性回路が貫通する第２のプレート側貫通穴と；
前記第２のプレートの両側の所定の箇所に、前記プレートの長手方向に形成される第２のプレート側ネジ穴と；
前記第２のプレートの一端に形成されて、前記ストッパーピンを安着させる安着面と；
から構成されることを特徴とする請求項３７に記載のスライディング／回転タイプ携帯端末機のスライディング／ヒンジ装置。
【請求項４６】
前記第１及び第２のプレートの間には、前記スライドハウジングが半自動でスライディング移動されるように弾性力を提供する１対のリングバネが配設されることを特徴とする請求項３７に記載のスライディング／回転タイプ携帯端末機のスライディング／ヒンジ装置。
【請求項４７】
前記ガイド手段は、
前記第１及び第２のスライドバーの長手方向に形成された少なくとも一つのガイド突起と；
前記第２のプレートの両側面に形成されて、前記ガイド突起とスライディング移動可能に結合されるガイドレールと；
から構成されることを特徴とする請求項３７に記載のスライディング／回転タイプ携帯端末機のスライディング／ヒンジ装置。
【請求項４８】
前記ガイド突起は、前記第１のプレートの内側方向に突出形成されることを特徴とする請求項４７に記載のスライディング／回転タイプ携帯端末機のスライディング／ヒンジ装置。
【請求項４９】
前記シリンダーの一端に形成された締結溝には、前記スライドハウジングの回転による摩擦を防止する摩擦防止リングがさらに備えられることを特徴とする請求項４２に記載のスライディング／回転タイプ携帯端末機のスライディング／ヒンジ装置。
【請求項５０】
スライディングタイプ携帯用通信装置であって、
長手方向に延長された本体ハウジングと；
前記本体ハウジングの上面と向かい合う状態で、前記本体ハウジングの長手方向に沿って所定の距離をスライディングし、前記所定の距離をスライディングした後に、前記本体ハウジングの上面と向かい合う状態で、回転し、前記本体ハウジングと所定の角度を形成するスライディング回転ハウジングと；
から構成されることを特徴とするスライディング／回転タイプ携帯用通信装置。
【請求項５１】
前記スライディング回転ハウジングの上面に、常時目視可能に設けられる表示装置と；
前記本体ハウジングの上面の所定領域に配置されたキーと；
をさらに含むことを特徴とする請求項５０に記載のスライディング／回転タイプ携帯用通信装置。
【請求項５２】
前記キーは、
前記スライディング回転ハウジングのスライディング移動状態によって隠されるか露出される第１のキーアレイと；
前記スライディング回転ハウジングの回転状態によって隠されるか露出され、また、前記第１のキーアレイの隣に配置される第２のキーアレイと；
から構成されることを特徴とする請求項５１に記載のスライディング／回転タイプ携帯用通信装置。
【請求項５３】
前記スライディング回転ハウジングの上面には、前記表示装置と隣接する第３のキーアレイが、前記表示装置の一側にさらに配置されることを特徴とする請求項５０に記載のスライディング／回転タイプ携帯用通信装置。
【請求項５４】
前記スライディング回転ハウジングは、線形にスライド移動することを特徴とする請求項５０に記載のスライディング／回転タイプ携帯用通信装置。
【請求項５５】
前記スライディング回転ハウジングは、前記本体ハウジングに対して９０°回転することを特徴とする請求項５０に記載のスライディング／回転タイプ携帯用通信装置。
【発明の詳細な説明】
【技術分野】
【０００１】
本発明は、スライディング／回転タイプ携帯端末機において、本体ハウジングからスライディング移動及び回転移動自在に構成したスライディング／回転タイプ携帯端末機のスライディング／ヒンジ装置に関する。
【背景技術】
【０００２】
一般に、“携帯用通信装置”とは、使用者が持ち歩きながら相手側と無線で通信可能な装置のことをいう。この携帯用通信装置には、ＨＨＰ(Hand Held PCS)、ＣＴ−２セルラーフォン、デジタルフォン、ＰＣＳフォン及びＰＤＡなどがあり、外形によって様々なタイプに分類される。例えば、携帯端末機は、基本的に、バータイプ(bar-type)、フリップタイプ(flip-type)、及びホルダータイプ(folder-type)に分類される。バータイプ無線端末機は、バータイプの単一ハウジングで構成され、フリップタイプの携帯端末機は、バータイプのハウジングにフリップやカバーがヒンジ装置にて回転自在に構成され、ホルダータイプの携帯端末機は、バータイプのハウジングにホルダー部がヒンジ装置にて回転自在に取り付けられる。また、携帯用端末機は、その着用箇所または着用方式によって、ネックレスタイプ(necklace-type)及びリストタイプ(wrist-type)に分類されることもある。ネックレスタイプの携帯端末機は、紐やチェーンを使って端末機を首にかける方式のもので、リストタイプの携帯端末機は、腕バンドを使って腕に端末機をつける方式のものである。また、携帯端末機は、開閉方式によって、回転タイプ(rotation-type)及びスライディングタイプ(sliding-type)に分類される。回転タイプの携帯端末機は、二つのハウジングが、向かい合う状態で回転自在に連結され開閉されるものであり、スライディングタイプの携帯端末機は、二つのハウジングのうち、一つのハウジングが長手方向にスライディング移動しつつ開閉されるものである。このように様々に分類される携帯端末機は、当該技術分野で通常の知識を持つ者なら容易に理解されるものである。
【０００３】
上に述べた従来の各携帯用端末機はいずれも、アンテナ装置、データ入出力装置、データ送受信装置を備える必要がある。このデータ入力装置は、指でキーを押さえる動作でデータ入力が可能なキーパッドが主として使用され、タッチパッドやタッチスクリーンが使用されることもある。また、データ出力装置は、主としてＬＣＤを使用する。さらに、従来の携帯用通信装置は、使用者同士の画像通話や望む被写体の撮影のためにカメラレンズを備える。
【０００４】
上述したスライディングタイプの携帯端末機は、一つのハウジング(すなわち、スライドハウジング)が残りのハウジング(すなわち、本体ハウジング)に沿って端末機の長手方向にスライディングしつつ開放される形態のものであり、既存のホルダータイプの携帯端末機に比べ、使用者の多様化する好みに十分に応えられる、という特長を有する。このスライディングタイプの携帯端末機は、本体ハウジングに対してスライドハウジングが本体ハウジング長の１／２程度まで下方または上方にスライディングされることで開放される。
【０００５】
通常、このスライディングタイプの携帯端末機において、本体ハウジングには、３×４の多数のキーを提供するキーパッドが備えられ、スライドハウジングには、液晶表示部が備えられる。
【０００６】
このスライディングタイプの携帯端末機のスライドハウジングは、本体ハウジング上でガイド手段によってガイドされる。このために、スライドハウジング及び本体ハウジングのいずれか一方にはガイドリブを形成し、残りの一方には、ガイドリブと対応する箇所にガイドスリットを形成する。また、該スライドハウジングがスライディング移動して完全に開く箇所及び閉じる箇所にストッパー手段を設け、本体ハウジング上でのスライドハウジングの過度なスライディングを防止している。
【０００７】
しかしながら、従来のスライディング／回転タイプ携帯端末機では、この携帯端末機の外形サイズを考慮し、液晶表示部は、端末機の長手方向に長い直方形になっている。このように液晶表示部が端末機の長手方向に長く形成されているため、ワイド画面が要求される場合には、端末機を回し液晶表示部を横にして使用しなければならず、このときにキーパッドも端末機と一緒に回転されるので、キー入力がし難くなる、という問題があった。
【０００８】
一方、端末機を長手方向に立てて液晶表示部を使用する場合には、表示画面が小さいので、使用者が端末機の液晶表示部からＴＶ、動映像及びゲームを視聴するのが不便だった。
【０００９】
かかるスライディングタイプの携帯端末機の例が、特許文献１に詳細に記載されており、これは、メインボディーと、サブボディーと、バネモジュールと、スライドガイドと、スライド溝と、から構成されている。しかしながら、この特許文献１に開示されたスライディングタイプの携帯端末機もまた、単にサブボディーが上・下にスライディング移動可能に構成されているだけで、サブボディーの回転は不可能になっており、結果としてサブボディーの液晶表示部をワイド画面の形態には使用できない、という不具合があった。
【特許文献１】米国特許番号第１０,３７９,５５１号明細書
【発明の開示】
【発明が解決しようとする課題】
【００１０】
したがって、上記事情に鑑み、本発明の目的は、スライディング／回転タイプ携帯端末機において、本体ハウジングからスライディング移動及び回転移動自在に構成することによって、端末機の使い勝手のよさを向上させるようにしたスライディング／回転タイプ携帯端末機のスライディング／ヒンジ装置を提供することである。
【００１１】
本発明の他の目的は、スライディング／回転タイプ携帯端末機において、スライドハウジングがスライディング移動の後に回転して、本体ハウジングに対して“Ｔ”の形状に配置されるように構成することによって、端末機の液晶表示部をワイド画面の形態に使用可能にしたスライディング／回転タイプ携帯端末機のスライディング／ヒンジ装置を提供することにある。
【課題を解決するための手段】
【００１２】
上記の目的を達成するために、本発明の第１の実施形態は、本体ハウジングと、該本体ハウジング上にスライディング可能に結合されるスライドハウジングと、から構成されたスライディングタイプ／回転タイプ携帯端末機のスライディング／ヒンジ装置であって、、前記本体ハウジング内に装着される第１のヒンジフレームと；前記第１のヒンジフレームと向かい合う状態に配置され、前記スライドハウジングをスライディング移動可能にし、ヒンジ軸を中心として回転可能にする第２のヒンジフレームと；前記第２のヒンジフレームにスライディング可能に結合され、前記スライドハウジングと固定される第１及び第２のプレートと；前記第２のヒンジフレームと第１のプレートとの間に配設される少なくとも一つのスライドバーと；前記第１及び第２のヒンジフレームの中心部を挿通し、これら第１及び第２のヒンジフレームを向かい合う状態に回転可能に結合させる結合手段と；から構成されたことを特徴とする。
【００１３】
また、上記の目的を達成するために、本発明の第２の実施形態は、本体ハウジングと、前記本体ハウジング上にスライディング可能に結合されるスライドハウジングと、から構成されたスライディングタイプ／回転タイプ携帯端末機のスライディング／ヒンジ装置であって、、  前記本体ハウジング内に装着される第１のヒンジフレームと；前記第１のヒンジフレームと向かい合う状態に貫通結合し、前記スライドハウジングをスライディング移動可能にし、ヒンジ軸を中心として回転可能にする円筒形のヒンジハウジングを有する第２のヒンジフレームと；前記第２のヒンジフレームにスライディング可能に結合され、前記スライドハウジングに固定される第１及び第２のプレートと；前記第２のヒンジフレームと第１のプレートとの間に配設される少なくとも一つのスライドバーと；前記第１及び第２のヒンジフレームの間に配設され、前記第２のヒンジフレームを、前記第１のヒンジフレームと向かい合う状態で回転可能にする回転ワッシャと；前記ヒンジハウジングの下端に嵌め付けられるスナップリングと；から構成されたことを特徴とする。
【００１４】
また、上記の目的を達成するために、本発明の第３の実施形態は、本体ハウジングと、前記本体ハウジング上にスライディング可能に結合されるスライドハウジングと、から構成されたスライディングタイプ／回転タイプ携帯端末機のスライディング／ヒンジ装置であって、、前記本体ハウジング内に装着される第１のヒンジフレームと；前記第１のヒンジフレームと向かい合う状態に配置され、前記スライドハウジングをスライディング移動可能にし、ヒンジ軸を中心として回転可能にする第２のヒンジフレームと；前記第２のヒンジフレームに、スライディング移動及び回転可能に結合される第１のプレートと、前記第１のプレートと結合され、前記スライドハウジングに固定される第２のプレートと；前記第２のヒンジフレームと第１のプレートとの間に配設される少なくとも一つのスライドバーと；前記第１のヒンジフレームの所定の箇所に形成されたガイドピンと；前記第１のプレートに形成され、前記ガイドピンと結合されて、前記ガイドピンをスライディング移動及び回転可能にガイドするピンガイド穴と；から構成されたことを特徴とする。
【００１５】
また、上記の目的を達成するために、本発明の第４の実施形態は、本体ハウジングと、前記本体ハウジング上にスライディング可能に結合されるスライドハウジングと、から構成されたスライディングタイプ／回転タイプ携帯端末機のスライディング／ヒンジ装置であって、、前記本体ハウジング内に装着される第１のヒンジフレームと；前記第１のヒンジフレームと向かい合う状態に配置され、ヒンジ軸を中心として前記スライドハウジングを回転可能にする第２のヒンジフレームと；前記第２のヒンジフレームに固定され、それぞれのスライドバーを備え、前記スライドハウジングをスライディング移動可能にする第１及び第２のプレートと；前記第１のプレートの両側面に取り付けられ、それらの間内には前記第２のプレートがスライディング可能に備えられる第１及び第２のスライドバーと；前記第１のヒンジフレームの所定の箇所に備えられ、前記第２のプレートに形成されたガイド部に沿ってガイドされるガイドピンと；から構成されたことを特徴とする。
【００１６】
また、上記の目的を達成するために、本発明の第５の実施形態は、本体ハウジングと、前記本体ハウジング上にスライディング可能に結合されるスライドハウジングと、から構成されたスライディングタイプ／回転タイプ携帯端末機のスライディング／ヒンジ装置であって、、前記本体ハウジングに装着される第１のヒンジフレームと；前記スライドハウジングがヒンジ軸を中心として回転するように、前記第１のヒンジフレームと向かい合う状態に結合される第２のヒンジフレームと；前記第２のヒンジフレームに固定されて、前記スライドハウジングをスライディング移動可能にする第１及び第２のプレートと；前記第１及び第２のプレートの両側面に形成されて、前記第２のプレートをスライディング可能にガイドするガイド手段と；前記本体ハウジングの上面の所定の箇所に形成されて、前記第１及び第２のプレートをスライディング移動及び回転可能にし、スライディング移動及び回転する前記第１及び第２のプレートを止めるストッパーピンと；から構成されたことを特徴とする。
【発明の効果】
【００１７】
本発明によれば、スライディング／回転タイプ携帯端末機において本体ハウジングからスライディング移動及び回転移動自在にスライディング／ヒンジ装置を構成するため、端末機の使い勝手のよさを向上させることが可能になる。
【００１８】
また、本発明によれば、スライドハウジングがスライディング移動の後に回転して、本体ハウジングに対して“Ｔ”の形状に配置されるようにスライディング／ヒンジ装置を構成するため、端末機の液晶表示部をワイド画面の形態に使用することが可能になる。
【発明を実施するための最良の形態】
【００１９】
以下、本発明の好ましい実施形態について、添付図面を参照しつつ詳細に説明する。図面中、同一の構成要素には、可能な限り同一の参照符号及び番号を共通使用するものとする。
【００２０】
まず、本発明の好ましい第１の実施形態に従うスライディング／回転タイプ携帯端末機のスライディング／ヒンジ装置１０について、図１乃至図１４を参照して説明する。図１乃至図１４に示すように、スライディング／ヒンジ装置１０は、第１及び第２のヒンジフレーム４０，５０と、第１及び第２のプレート６０，７０と、少なくとも一つのスライドバー８０と、結合手段９０と、から構成される。
【００２１】
第１のヒンジフレーム４０は、第２のヒンジフレーム５０と回転可能に結合されるように本体ハウジング２０内に備えられ、本体ハウジング２０にネジ９３にて締結される。第２のヒンジフレーム５０は、第１のヒンジフレーム４０と向かい合う状態に結合され、スライドハウジング３０がスライディング移動及びヒンジ軸Ａ１(図１２参照)を中心とする回転されるようにする。第１のプレート６０は、第２のヒンジフレーム５０にスライディング移動可能に結合される。第２のプレート７０は、スライドハウジング３０とネジ９３にて締結されるように第１のプレート６０に結合される。
【００２２】
スライドバー８０は、スライドハウジング３０をスライディング移動可能に支持するように、第２のヒンジフレーム５０と第１のプレート６０との間に備えられ、第１のプレート６０にネジにて締結される。
【００２３】
結合手段９０は、第１及び第２のヒンジフレーム４０，５０を向かい合う状態で回転可能に結合させるように、第１及び第２のヒンジフレーム４０，５０の中心部に貫通挿入される。該結合手段９０は、ブシュ９１と、スナップリング９２とから構成される。すなわち、ブシュ９１は、第１及び第２のヒンジフレーム４０，５０を向かい合う状態で回転可能に結合させるように、第１及び第２のヒンジフレーム４０，５０の中心部に挿通され、スナップリング９２は、第１及び第２のヒンジフレーム４０，５０を貫通挿入されるとともに、ブシュ９１の下端に締結されるようになっている。第１のヒンジフレーム４０(図２)は、１対のストッパー４１と、第１のヒンジフレーム側貫通穴４２と、ボール溝４３と、１対の回転ストッパー４５と、少なくとも一つのネジ締結部４４と、ボールガイド溝４６と、から構成される。１対のストッパー４１は、第２のヒンジフレーム５０の回転による第２のヒンジフレーム５０のすき間を調節しうるように、第１のヒンジフレーム４０の上端面に形成されている。第１のヒンジフレーム側貫通穴４２は、ブシュ９１が貫通するように第１のヒンジフレーム４０の中心部に穿設される。ボール溝４３は、複数のボール５４がそれぞれ安着されるように、貫通穴４２の周りに円周方向に沿って等間隔で形成される。
【００２４】
ボールガイド溝４６は、それぞれのボール溝４３を互いに連結するように形成され、よって、このボールガイド溝４６に沿ってボール５４の移動がガイドされる。回転ストッパー４５は、第２のヒンジフレーム５０と接触してスライドハウジング３０の回転を止めるように、ボール溝４３の外周の所定の箇所に形成される。ネジ締結部４４は、第１及び第２のヒンジフレーム４０，５０が向かい合って結合された状態で、本体ハウジング２０の内側にネジ９３で締結されるように、第１のヒンジフレーム４０に形成される。また、１対の回転ストッパー４５は、向かい合うように対称配置される。
【００２５】
また、第２のヒンジフレーム５０(図２)は、第２のヒンジフレーム側貫通穴５１と、シリンダー５２と、少なくとも一つのバネ穴５３と、少なくとも一つのボール５４と、１対のガイド溝５５と、ストッパー突起５６と、から構成される。第２のヒンジフレーム側貫通穴５１は、ブシュ９１が挿通するように、ヒンジフレーム５０の中心部に穿設される。シリンダー５２は、第１のヒンジフレーム側ボール溝４３と向かい合うように貫通穴５１の周りに沿ってヒンジ軸Ａ１の下方に延在する。バネ穴５３(図６)は、ボール５４と圧縮バネ５７が該当のバネ穴５３に設けられるように、シリンダー５２の円周方向に沿って等間隔で形成される。
【００２６】
それぞれのボール５４は、圧縮バネ５７の弾性力によってバネ穴５３の下端から出るようにバネ穴５３にそれぞれ安着され、第１のヒンジフレーム４０のボール溝４３とそれぞれ噛み合うように、該当のバネ穴５３に装着される。
【００２７】
１対のガイド溝５５は、第１のスライドバー８１(図４)とスライディング可能に結合されるように、第２のヒンジフレーム５０の上端面に形成される。ストッパー突起５６は、第２のスライドバー８２(図４)と接触してスライドバー８０のスライド移動を止めるように、第２のヒンジフレーム５０の上面一側に形成される。第１のプレート６０(図１，５，６及び図８〜図１０)は、複数の結合穴６１と、少なくとも一つのネジ穴６２と、第１のプレート側貫通穴６３と、支持突起６４と、１対のガイド穴６５と、から構成される。複数の結合穴６１は、第２のプレート７０に形成された結合突起７７とそれぞれ結合されて固定されるように、第１のプレート６０の外周縁に沿って形成される。ネジ穴６２は、スライドバー８０がネジ９３で固定されるように、第１のプレート６０の所定の箇所に形成される。
【００２８】
第１のプレート側貫通穴６３は、スライドハウジング３０と電気的に接続された軟性回路(図示せず)が貫通するように、第１のプレート６０の所定の箇所に形成される。支持突起６４は、スライドバー８０を支持するように、第１のプレート６０の長手方向に沿って形成される。
【００２９】
１対のガイド穴６５は、後述するリングバネ９４をガイド可能に第１のプレート６０の長手方向に沿って形成される。また、第１のプレート６０には、スライドバー８０に形成された突起８１ａと結合されて固定されるように、第１のプレート６０の長手方向に沿って複数の固定穴６６が形成される。また、第２のプレート７０(図１，１３，１４)は、複数の結合突起７７と、少なくとも一つのネジ穴７２と、１対のピン７３と、第２のプレート側貫通穴７４と、から構成される。複数の結合突起７７は、第１のプレート６０に形成された結合穴６１と噛み合うように、第２のプレート７０の外周縁に沿って形成される。それぞれのネジ穴７２は、第２のプレート７０がスライドハウジング３０に固定されるように、ネジ９３で締結される。１対のピン７３は、後述するリングバネ９４と結合されるように、第２のプレート７０の所定の箇所にそれぞれ設けられる。
【００３０】
第２のプレート側貫通穴７４は、スライドハウジング３０と電気的に接続された軟性回路(図示せず)が貫通するように、第２のプレート７０の所定の箇所に穿設される。また、第１及び第２のプレート６０，７０の間には、スライドハウジング３０が半自動でスライディング移動するように弾性力を提供する１対のリングバネ９４が備えられる。
【００３１】
リングバネ９４の一端９４ａは、第１のプレート６０(図４)に形成されたガイド穴６５を貫通して、第２のヒンジフレーム５０の上端面に形成された支持溝５８に結合され、よって、スライドハウジング３０のスライディング移動に際してガイド穴６５に沿って移動可能になっている。また、リングバネ９４の他端９４ｂは、リングバネ９４を支持するように、第２のプレート７０に形成されたピン７３と結合される。また、スライドバー８０(図１)は、第１乃至第３のスライドバー８１，８２，８３から構成される。
【００３２】
第１のスライドバー８１は、第２のヒンジフレーム５０に形成されたガイド溝５５に結合されてスライディング移動するように、第１及び第２のプレート６０，７０の長手方向に形成されている。第２のスライドバー８２は、第１のスライドバー８１を支持すると同時に、第２のヒンジフレーム５０のストッパー突起５６と接してスライドバー８０のスライディング移動を止めるように、第１のスライドバー８１の一端に連結形成される。第３のスライドバー８３は、第１のスライドバー８１を支持するように、第１のスライドバー８１の他端にそれぞれ連結形成される。
【００３３】
このような構成を持つ本発明の好ましい第１の実施形態に従うスライディング／回転タイプ携帯端末機のスライディング／ヒンジ装置の動作過程を、添付した図１乃至図１４を参照してより詳細に説明すると、下記の通りである。図１乃至図１４に示すように、スライディングタイプの携帯端末機は、複数のキーで構成されるキーパッド２１を備えた本体ハウジング２０と、液晶表示部３１を備えたスライドハウジング３０と、からなる。図１に示すように、本体ハウジング２０の上面の所定の箇所には、第１及び第２のヒンジフレーム４０，５０が装着されるように、締結穴２２が形成される。
【００３４】
スライディング／回転タイプ携帯端末機のスライディング／ヒンジ装置１０は、本体ハウジング２０に第１のヒンジフレーム４０がネジで締結される。このときに、第１のヒンジフレーム４０の上面には、この第１のヒンジフレーム４０と向かい合う状態で、スライドハウジング３０をスライディング移動可能にし、また、ヒンジ軸Ａ１を中心に回転可能にする第２のヒンジフレーム５０が備えられる。この状態で、図５及び図６に示すように、第１及び第２のヒンジフレーム４０，５０の中心部には、第１及び第２のヒンジフレーム４０，５０が向かい合う状態で回転可能に結合されるように、ブシュ９１を貫設し、このブシュ９１の下端に形成された締結溝にスナップリング９２を嵌めて締結する。このようにブシュ９１が貫通するように、第１及び第２のヒンジフレーム４０，５０の中心部には、第１及び第２のヒンジフレーム側貫通穴４２，５１が形成される。
【００３５】
また、第１のヒンジフレーム４０の上端面には、第２のヒンジフレーム５０の回転によるすき間(図４)を調節するように、１対のストッパー４１が設けられる。この状態で、図３及び図４に示すように、第２のヒンジフレーム５０の上端面には、スライドハウジング３０がスライディング移動可能に、第１のプレート６０が結合される。
【００３６】
図７及び図８に示すように、本体ハウジング２０からスライドハウジング３０が長手方向にスライディング移動するときに、第２のヒンジフレーム５０と第１のプレート６０との間には、第２のヒンジフレーム５０の上面に形成された１対のガイド溝５５に結合された１対の第１のスライドバー８１が配置されているので、これら第１のスライドバー８１がガイド溝５５に沿ってスライディング移動する。
【００３７】
このときに、図１０に示すように、第１及び第２のプレート６０，７０の間にはスライドハウジング３０が半自動でスライディング移動されるように弾性力を提供する１対のリングバネ９４が設けられているので、このリングバネ９４の弾性力によりスライドハウジング３０は半自動でスライディング移動する。
【００３８】
このようにリングバネ９４が半自動で弾性力を提供しうるように、図９に示すように、リングバネ９４の一端９４ａは、第１のプレート６０のガイド穴６５を貫通して、第２のヒンジフレーム５０の上端面に形成された支持溝５８に結合され、リングバネ９４の他端９４ｂは、第２のプレート７０に形成されたピン７３と結合される。
【００３９】
図１０に示すように、第１のスライドバー８１は、プレートの長手方向に形成され、その一端が第２のスライドバー８２で互いに連結され、他端には第３のスライドバー８３がそれぞれ連結される。図１１に示すように、第２のヒンジフレーム５０の上面一側には、スライドバーと接してスライドバーの移動を止めるストッパー突起５６が形成される。
【００４０】
一方、図１２に示すように、スライドハウジング３０をスライディング移動した後に回転させると、スライドハウジング３０は本体ハウジング２０に対して“Ｔ”の形態となる。このときに、図９に示すように、第１のヒンジフレーム側貫通穴４２の周りには円周方向に沿ってボール５４を安着させる少なくとも一つのボール溝４３が等間隔で配置されているので、該当のボール溝４３にボール５４を安着させる。
【００４１】
この状態で、図２及び図１４に示すように、第２のヒンジフレーム５０にはヒンジ軸Ａ１の下方にシリンダー５２が延在し、このシリンダー５２の下端面には、シリンダー５２の周りに円周方向に沿って等間隔で少なくとも一つのバネ穴５３が形成されているので、これらバネ穴５３の内側に圧縮バネ５７が備えられる。また、該圧縮バネ５７の下端は、圧縮バネ５７の弾性力を受けてバネ穴５３の下端から出、第１のヒンジフレーム４０のボール溝４３に安着されるボール５４と選択的に噛み合う。
【００４２】
これらボール５４は、図１３に示すように、スライドハウジング３０を回転させるときに、該当のボール溝４３から抜け出て等間隔で形成された他のボール溝４３にそれぞれ挿入される。また、このようにスライドハウジング３０が回転するときに、それぞれのボール溝４３を相互に連結するボールガイド溝４６が形成されているので、このボールガイド溝４６にガイドされてボール５４が移動する。
【００４３】
また、図９に示すように、ボール溝４３の外周の所定の箇所には、第２のヒンジフレーム５０と接してスライドハウジング３０の回転を止める１対の回転ストッパー４５が設けられているので、スライドハウジング３０の回転は、第２のヒンジフレーム５０と回転ストッパー４５とが接することによって止まるようになる。また、圧縮バネ５７によってボール５４に弾性力が提供され、よって、ボール５４はボール溝４３に対して着脱可能になる。
【００４４】
次に、本発明の好ましい第２の実施形態に従うスライディング／回転タイプ携帯端末機のスライディング／ヒンジ装置の動作を、添付した図１５乃至図２６を参照してより詳細に説明する。図１５に示すように、スライディングタイプの携帯端末機は、複数のキーで構成されるキーパッド２１を備えた本体ハウジング２０と、液晶表示部３１を具備えたスライドハウジング３０と、からなる。本体ハウジング２０の上面の所定の箇所には、第１及び第２のヒンジフレーム４０，５０が備えられるように、締結穴２２が形成される。図１５及び図１６に示すように、スライディング／回転タイプ携帯端末機のスライディング／ヒンジ装置は、本体ハウジング２０内に第１のヒンジフレーム１００をネジ９３で固定する。第１のヒンジフレーム１００の中心部には、第１のヒンジフレーム側貫通穴１０２が形成される。
【００４５】
第１のヒンジフレーム１００の上端には、本体ハウジング２０内側とネジ９３で締結されるように、少なくとも一つのネジ締結部１０４が形成される。
【００４６】
第１のヒンジフレーム１００の上面には、第１のヒンジフレーム１００と向かい合う状態でスライドハウジング３０をスライディング移動可能にし、ヒンジ軸Ａ１を中心として回転可能にする第２のヒンジフレーム２００が配置される。図１６及び図２２に示すように、第２のヒンジフレーム２００の中心部には、第１及び第２のヒンジフレーム１００，２００が向かい合う状態で回転可能に相互に結合されるように、ヒンジフレームのヒンジ軸Ａ１の下方に円筒形のヒンジハウジング２０１が突出形成され、また、この円筒形のヒンジハウジング２０１が挿通するように、第１のヒンジフレーム１００の中心部には第１のヒンジフレーム側貫通穴１０２が形成される。
【００４７】
図１８に示すように、円筒形のヒンジハウジング２０１の下端に形成された締結溝にスナップリング５００を嵌め付けることで、第１のヒンジフレーム１００と第２のヒンジフレーム２００とを向かい合う状態で結合する。
【００４８】
また、第１のヒンジフレーム１００の上端面には、第２のヒンジフレーム２００の回転によるすき間を調節するように、１対のストッパー１０１が形成される。図１９に示すように、第２のヒンジフレーム２００の上端面には、スライドハウジング３０がスライディング可能に第１のプレート６０が結合され、この状態で、第１のプレート６０はスライドハウジング３０とネジ９３で締結される。
【００４９】
図２０乃至図２３に示すように、本体ハウジング２０からスライドハウジング３０が長手方向にスライディング移動するときに、第２のヒンジフレーム２００と第１のプレート６０との間には、第２のヒンジフレーム２００の上面に形成された１対のガイド溝２０４に結合された１対の第１のスライドバー３０１が提供されているので、第１のスライドバー３０１がそれぞれガイド溝２０４に沿ってスライディング移動する。
【００５０】
また、図２５に示すように、第２のヒンジフレーム２００の上面一側には、第２のスライドバー３０２と接してスライドバー３００を止めるストッパー突起２０５が形成される。続いて、図２４に示すように、スライドハウジング３０をスライディング移動の後に回転させると、スライドハウジング３０は本体ハウジング２０に対して“Ｔ”の形状となる。
【００５１】
図２５に示すように、第１及び第２のヒンジフレーム１００，２００の間には、第１のヒンジフレーム１００と向かい合う状態で第２のヒンジフレーム２００が回転されるように、回転ワッシャ４００が備えられる。図２２に示すように、回転ワッシャ４００の内側には、円筒形のヒンジハウジング２０１に形成された固定溝２０１ａに噛み合うように１対の固定突起４０２が形成されているので、固定突起４０２が該当の固定溝２０１ａに固着される(図２６)。
【００５２】
回転ワッシャ４００は、第１のヒンジフレーム１００に形成されたワッシャ溝１０３に嵌め込まれて結合されるように、ワッシャ４００の円周方向に沿って等間隔で少なくとも一つのワッシャ突起４０１が形成される。
【００５３】
また、図２６に示すように、第２のヒンジフレーム２００と回転ワッシャ４００との間には、弾性力を提供する圧縮バネ６００が備えられ、該圧縮バネ６００は、ワッシャ溝１０３にワッシャ突起４０１が噛み合うか、ワッシャ溝１０３からワッシャ突起４０１が外されるように弾性力を提供する。したがって、スライドハウジング３０を回転させると、円筒形のヒンジハウジング２０１が回転すると同時に、回転ワッシャ４００も共に回転する。
【００５４】
図１６に示すように、ワッシャ溝１０３の外周の所定の箇所には、第２のヒンジフレーム２００と接してスライドハウジング３０の回転を止める１対の回転ストッパー１０５が設けられる。したがって、スライドハウジング３０が回転すると、回転ワッシャ４００のワッシャ突起４０１は、該当のワッシャ溝１０３から離脱し等間隔で形成された他のワッシャ溝１０３にそれぞれ挿入される。
【００５５】
また、圧縮バネ６００によって回転ワッシャ４００に弾性力が提供され、よって、ワッシャ突起４０１は、スライドハウジング３０の回転とともにワッシャ溝１０３に対して着脱可能になる。
【００５６】
次に、本発明の好ましい第３の実施形態に従うスライディング／回転タイプ携帯端末機のスライディング／ヒンジ装置の動作について、添付した図２７乃至図３１を参照してより詳細に説明する。図２７に示すように、スライディングタイプの携帯端末機は、複数のキーで構成されたキーパッド２１を備えた本体ハウジング２０と、液晶表示部３１を備えたスライドハウジング３０と、からなる。スライディング／回転タイプ携帯端末機のスライディング／ヒンジ装置１０は、本体ハウジング２０内に第１のヒンジフレーム４０をネジ９３で固定する。
【００５７】
第１のヒンジフレーム４０の上面には、第１のヒンジフレーム４０と向かい合う状態に、スライドハウジング３０をスライディング移動可能にし、ヒンジ軸Ａ１を中心として回転可能にする第２のヒンジフレーム５０が備えられる。図２８に示すように、第１及び第２のヒンジフレーム４０，５０の中心部には、第１及び第２のヒンジフレーム４０，５０が向かい合う状態で回転可能に結合されるようにブシュ９１が挿通され、また、このブシュ９１の下端に形成された締結溝にはスナップリング９２が嵌め付けられる。第２のヒンジフレーム５０の上端面には、スライドハウジング３０がスライディング可能に第１のプレート６０が結合され、第１のプレート６０はスライドハウジング３０とネジ９３で締結固定される。
【００５８】
図３０及び図３１に示すように、スライドハウジング３０が本体ハウジング２０からその長手方向にスライディングするときに、第１のスライドバー８１が第２のヒンジフレーム５０と第１のプレート６０との間に配置されながら１対のガイド溝５５に結合されるので、スライドバー８１は、第２のヒンジフレーム５０の上端に形成された１対のガイド溝５５に沿ってそれぞれスライド移動する。第１及び第２のプレート６０，７０の間には、スライドハウジング３０が半自動でスライディング移動可能に弾性力を提供する１対のリングバネ９４が備えられ、このリングバネ９４の弾性力によりスライドハウジング３０は半自動でスライディング移動する。
【００５９】
図２９に示すように、リングバネ９４が半自動で弾性力を提供するように、リングバネ９４の一端９４ａは、第１のプレート６０のガイド穴６５を貫通して、第２のヒンジフレーム５０の上端面に形成された支持溝５８に結合され、一方で、リングバネ９４の他端９４ｂは、第２のプレート７０に形成されたピン７３と結合される。
【００６０】
第１のヒンジフレーム４０の所定の箇所には、スライディング移動するガイドピン２０００が形成される。第１のプレート６０には、ガイドピン２０００と結合され、このガイドピン２０００をスライディング移動及び回転可能にガイドするピンガイド穴１０００が形成される。図３０及び図３１に示すように、スライドハウジング３０がスライディング移動の後に回転すると、スライドハウジング３０は本体ハウジング２０と共に“Ｔ”の形態となる。したがって、図３０に示すように、スライドハウジング３０がスライディング及び回転すると、ガイドピン２０００はピンガイド穴１０００に沿ってスライディング移動する。このピンガイド穴１０００の上部は、第１のプレート６０の長手方向に沿って所定の長さに形成され、よって、ガイドピン２０００は、このピンガイド穴１０００に沿ってスライディング移動可能になる。
【００６１】
また、図３１に示すように、スライドハウジング３０を回転させる場合に、ピンガイド穴１０００の下部は、スライドハウジング３０が回転されるように曲線で形成されているので、このピンガイド穴１０００の曲線に沿ってガイドピン２０００をガイドし、スライドハウジング３０を回転させると良い。
【００６２】
次に、本発明の好ましい第４の実施形態に従うスライディング／回転タイプ携帯端末機のスライディング／ヒンジ装置の動作を、添付した図３２乃至図４７を参照して詳細に説明する。図３２に示すように、スライディング／回転タイプ携帯端末機のスライディング／ヒンジ装置１０は、第１のヒンジフレーム３０００を、ネジ締結部４００５にネジ９３０を締結することで本体ハウジング２０に固定する。図３２乃至図３４に示すように、第１のヒンジフレーム３０００の上面には、スライドハウジングがヒンジ軸Ａ１を中心として回転されるように、第１のヒンジフレーム３０００と向かい合う状態に第２のヒンジフレーム４０００が配置される。
【００６３】
図３３に示すように、第２のヒンジフレーム４０００の中心部には、第１及び第２のヒンジフレーム３０００，４０００が向かい合う状態で回転可能に結合されるようにヒンジ軸Ａ１の下方にシリンダー４００２が延在しているので、第１のヒンジフレーム側貫通穴３０００１にシリンダー４００２を挿通し、続いて、このシリンダー４００２の下端に形成された締結溝にストッパーリング４００７を嵌め付ける。
【００６４】
図３４乃至図３６に示すように、第２のヒンジフレーム４０００の中心部には、軟性回路(図示せず)が貫通する第２のヒンジフレーム側貫通穴４００１が形成され、この軟性回路が貫通する第２のプレート側貫通穴６００４が、第２のプレート６０００の所定の箇所に形成される。また、第２のプレート６０００の両側の所定の箇所には、その長手方向に沿って第２のプレート側ネジ穴６００５が形成され、これら第２のプレート側ネジ穴６００５はスライディングハウジングとネジ９３０で締結される。
【００６５】
図３６乃至図３８に示すように、第１のプレート５０００が第２のヒンジフレーム４０００にネジ締結されており、第１のプレート５０００の両側面には、第１及び第２のスライドバー７０００，８０００がネジ９３０で締結されており、第１のプレート５０００の両側面には、スライドハウジング３０の長手方向に沿ってバー締結部５００１が形成され、このバー締結部５００１にスライドバー７０００，８０００をネジ９３０でそれぞれ固定される。したがって、図３９及び図４０に示すように、スライディングハウジング３０をスライディング移動させると、これと同時に、第１のプレート５０００の第１及び第２のスライドバー７０００，８０００が、第２のプレートに形成されたガイド溝６００１に沿ってスライディング移動する。
【００６６】
このときに、図４１に示すように、第１及び第２のスライドバー７０００，８０００の一側にはプレート５０００の長手方向にガイド突起７００１，８００１が形成されているので、これらガイド突起７００１，８００１がガイド溝６００１に結合されてスライディング移動する。
【００６７】
また、図４２に示すように、第１のヒンジフレーム３０００の所定の箇所には、第２のプレート６０００に形成されたガイド部６００２に沿ってスライディング移動するガイドピン９０００が結合されるピン溝３００５が設けられているので、ピン溝３００５にガイドピン９０００を結合し、このガイドピン９０００はガイド部６００２に沿って直線にスライディング移動する。
【００６８】
ガイド部６００２の上部６００２ａは、ガイドピン９０００が直線にスライディング移動するように、第２のプレート６０００の長手方向に沿って所定の長さに形成される。また、図４２に示すように、第１及び第２のプレート５０００，６０００との間には、スライドハウジング３０が半自動でスライディング移動するように弾性力を提供する１対のリングバネ９４０が設けられる。リングバネ９４０の一端は、この一端を貫通するリベットピン９５０によって、第１のプレート５０００に形成されたリベットピン溝５００４に結合され、他端は、第２のプレート６０００に形成されたバネ側締結穴６００３に結合される(図３４参照)。したがって、図４３に示すように、スライドハウジング３０をスライディング移動の後に回転させると、スライドハウジング３０は本体ハウジングと“Ｔ”の形状をなす。
【００６９】
図３３、図３７、図４４乃至図４６に示すように、第１のヒンジフレーム側貫通穴３００１の周りには、ボール４００４を安着させる少なくとも一つのボール溝３００２が 円周方向に沿って等間隔で形成されており、よって、これらボール溝３００２にボール４００４が安着される。また、図４５に示すように、ボール溝３００２を相互に連結し、ボール４００４の移動をガイドするボールガイド溝３００２が形成される。
【００７０】
図４５及び図４７に示すように、第２のヒンジフレーム４０００のシリンダー４００２の下端内側には圧縮バネ５７０が備えられ、シリンダー４００２の周りに対称して１対のバネ穴４００３が形成されているので、この１対のバネ穴４００３には、圧縮バネ５７０の弾性力を受けてバネ穴４００３の下端から出、第１のヒンジフレーム３０００のボール溝３００２と選択的に噛み合う１対のボール４００４が備えられる。
【００７１】
したがって、図４５に示すように、スライディングハウジングを回転させると、ボール４００４が該当のボール溝３００２から離脱し、等間隔で形成された他のボール溝３００２に挿入される。このときに、ボール４００４は、ボール溝３００２を相互に連結するボールガイド溝３００２に沿ってガイドされる。
【００７２】
図３２及び図３３に示すように、第２のヒンジフレーム４０００の円周には、第１のプレート５０００と締結される１対の締結部４００５が設けられており、よって、この締結部４００５に第１のプレート５０００が固定される。各締結部４００５には固定突起４００５ａが突設され、この固定突起４００５ａと締結される固定穴５００２が、第１のプレート５０００にそれぞれ形成される。
【００７３】
各固定突起４００５ａの両側には、第１のプレート５０００に形成された少なくとも一つの第１のプレート側ネジ締結部５００３と結合される少なくとも一つの結合溝４００５ｂが形成される。結合溝４００５ｂ内にはネジ穴４００５ｃが形成される。第１のプレート側ネジ締結部５００３は、プレート５０００の下方に突出して第２のヒンジフレーム４０００の結合溝４００５ｂに結合される。各締結部４００５の一側には、第１のヒンジフレーム３０００のストッパー突起３００４と接してスライドハウジング３０の回転を止めるストッパー部４００６が形成されており、よって、このストッパー部４００６がストッパー突起３００４と接してスライドハウジング３０の回転を止める。このときに、ガイドピン９０００は、図４６に示すように、ガイド部６００２の下部６００２ｂに形成された曲線に沿って回転する。
【００７４】
次に、本発明の好ましい第５の実施形態に従うスライディング／回転タイプ携帯端末機のスライディング／ヒンジ装置の動作を、添付した図４８乃至図６６を参照して詳細に説明する。図４８乃至図５０に示すように、スライディング／回転タイプ携帯端末機のスライディング／ヒンジ装置は、本体ハウジング２０と、スライディングハウジング３０と、第１及び第２のヒンジフレーム１２と、第１及び第２のプレート３４と、ガイド手段５と、ガイドピン６と、から構成される。第１のヒンジフレーム１は、本体ハウジング２０の上面の所定の箇所に形成されたハウジング側挿入溝２４内に挿入される。
【００７５】
第２のヒンジフレーム２の円周には、第１のプレート３とネジ９３０により締結されるように、少なくとも一つのネジ締結穴２ｆが形成されているので、それぞれのネジ締結穴２ｆにネジ９３０を貫通させ、続いて、該当のネジ締結穴２ｆから突き出たネジ９３０を、第１のプレート３に形成された少なくとも一つのネジ穴３ｃに締結する。
【００７６】
図４９及び図６６に示すように、ハウジング側挿入溝２４の外周に沿って等間隔で少なくとも一つのネジ溝２５が形成されているので、各ネジ溝２５に、第１のヒンジフレーム１に形成されたネジ締結部１ｅを挿入し、ネジ９３０で締結固定する。
【００７７】
図５９に示すように、第１のプレート３の下側面にはそれぞれのネジ穴３ｃを支持する少なくとも一つのネジ支持突起３ｈが形成される。また、第１のプレート３内の所定の箇所に形成された少なくとも一つのプレート側固定穴３ｄと第２のヒンジフレーム２の締結突起２ｇとを結合させる。
【００７８】
第１のプレート３の所定の箇所には、リングバネ９４０の一端と結合されるリベットピン９５０を貫通させて固定するように、１対のリベットピン溝３ｅが形成されているので、リングバネ９４０の一端と第１のプレート３のリベットピン溝３ｅとをそれぞれ一致させた後に、このリベットピン溝３ｅに各リベットピン９５０を挿入する。
【００７９】
第１及び第２のプレート３４の両側には、第２のプレート４をスライディング移動可能にガイドするガイド手段５が提供される。このガイド手段５は、第１及び第２のスライドバー３ａ，３ｂに形成されたガイド突起５ａと、第２のプレート４に形成されたガイドレール５ｂと、からなる。
【００８０】
つまり、第１及び第２のスライドバー３ａ，３ｂは、第１のプレート３の両側面にスライドハウジング３０の長手方向に沿って形成され、ガイド突起５ａは、第１のプレート３の内側方向に突出形成される。このように構成される第１及び第２のスライドバー３ａ，３ｂの間に第２のプレート４が結合される。このときに、ガイド突起５ａに、第２のプレート４の両側面に形成されたガイドレール５ｂがスライディング移動可能に結合される。また、第２のプレート４の所定の箇所には、リングバネ９４０の他端と結合されるバネ側締結穴４ｄが形成されているので、リングバネ９４０の他端は、バネ締結穴４ｄに締結される。また、第１及び第２のスライドバー３ａ，３ｂの両端には、プレート３，４がスライディング移動するときに、スライドハウジング３０との接触による衝撃を吸収するように、少なくとも一つの衝撃吸収材７が結合される。各衝撃吸収材７は、スライドバー３ａ，３ｂにその長手方向にそれぞれ結合される。
【００８１】
この状態で、第１のヒンジフレーム１の上面に、スライドハウジング３０をヒンジ軸Ａ１を中心として回転可能にする第２のヒンジフレーム２を、第１のヒンジフレーム１と向かい合う状態に結合する。また、第１のヒンジフレーム１の下端面には、ハウジング側挿入溝２４に形成された固定穴２６に挿入される少なくとも一つの固定突起１ｆが形成されているので、この固定突起１ｆを固定穴２６に挿入し固定する。
【００８２】
図４８、図５３、図６４に示すように、第２のヒンジフレーム２の中心部には、第１及び第２のヒンジフレーム１２が向かい合う状態で回転可能に結合されるように、ヒンジ軸Ａ１の下方にシリンダー２ｂが延在しているので、第１のヒンジフレーム１の中心部に形成された第１のヒンジフレーム側貫通穴１ａに、シリンダー２ｂを挿入した後に、シリンダー２ｂの下端に形成された締結溝にストッパーリング４００７を嵌め付けると良い。また、このストッパーリング４００７の上面には、スライドハウジング３０の回転による摩擦を防止するように摩擦防止リング８が配置される。
【００８３】
第２のヒンジフレーム２の中心部には、軟性回路(図示せず)が貫通する第２のヒンジフレーム側貫通穴２ａが形成され、第２のプレート４の所定の箇所には、軟性回路(図示せず)が貫通する第２のプレート側貫通穴４ｅが形成される。
【００８４】
図４８及び図５０に示すように、第２のプレート４の両側の所定の箇所には、スライドハウジング３０とネジ９３０で締結される第２のプレート側ネジ穴４ｆが、プレート４の長手方向に沿って形成される。図５５に示すように、スライドハウジング３０をスライディング移動させるときに、第１のプレート３に形成されたガイドレール５ｂが、第１及び第２のスライドバー３ａ，３ｂに形成されたガイド突起５ａに沿ってガイドされる。
【００８５】
図５６及び図５７に示すように、本体ハウジング２０の上面の所定の箇所には、第２のプレート４をスライディング移動及び回転可能にし、スライディング移動及び回転された第２のプレート４を止めるストッパーピン６が形成されているので、ストッパーピン６は、第２のプレート４がスライディング移動するときに、第２のプレート４に形成された直線のガイド部４ａに接し、第２のプレート４がスライディング移動されるようにする。
【００８６】
図５８に示すように、第１及び第２のプレート３，４の間には、スライドハウジング３０が半自動でスライディング移動するように弾性力を提供する１対のリングバネ９４０が配置される。各リングバネ９４０の一端は、貫通するリベットピン９５０によって、第１のプレート３に形成されたリベットピン溝３ｅに結合され、他端は、第２のプレート４に形成されたバネ締結穴４ｄと結合される(図４８参照)。
【００８７】
図５９及び図６０に示すように、第１のプレート３の一端には、スライドハウジング３０の内側と接触すると同時に、スライドハウジング３０のスライディング移動を止めるストッパー部３ｇが形成されているので、スライドハウジング３０のスライディング移動と同時に第２のプレート４が移動するときに、スライドハウジング３０の内側がストッパー部３ｇと接触すると同時に、スライドハウジング３０のスライディング移動が止まる。
【００８８】
図６０に示すように、止め突起４ｃは、ガイド部４ａ，４ｂの下端に形成され、第１のプレート３の止め部３ｆが係止されるようになっている。したがって、図６１に示すように、スライドハウジング３０をスライディング移動の後に回転させると、スライドハウジング３０は本体ハウジング２０と共に“Ｔ”の形状をなす。
【００８９】
図６２乃至図６４に示すように、第１のヒンジフレーム側貫通穴１ａの外周には、スライドハウジング３０が回転されるようにボール２ｄをガイドするボールガイド溝１ｂが、円周方向に沿って形成されているので、このボールガイド溝１ｂに沿って、第２のヒンジフレーム２に備えられたボール２ｄがガイドされることで、第２のヒンジフレーム２が回転される。図６３及び図６４に示すように、また、ボールガイド溝１ｂの両端には、ボール２ｄを安着させる少なくとも一つのボール溝１ｃが形成されているので、ボール２ｄが一方のボール溝１ｃから離脱し、ボールガイド溝１ｂに沿って移動して他方のボール溝１ｃに挿入され、これにより、第２のヒンジフレーム２の回転感がより向上する。
【００９０】
図６４に示すように、第２のヒンジフレーム２のシリンダー２ｂに隣接した箇所には、圧縮バネ５７０を内蔵したバネ穴２ｃが形成されており、このバネ穴２ｃには、圧縮バネ５７０の弾性力を受けてバネ穴２ｃの下端から出、スライドハウジング３０を回転させたり止めるようにボールガイド溝１ｂまたは該当のボール溝１ｃに噛み合うボール２ｄが備えられる。
【００９１】
第２のヒンジフレーム側貫通穴２ａとバネ穴２ｃとの間には、貫通穴２ａの円周に沿って第１のヒンジフレーム１のストッパー突起１ｄと結合されて、スライドハウジング３０をガイドすると同時に回転を止めるストッパー穴２ｅが形成される。したがって、図６５に示すように、スライドハウジング３０を回転させると、第２のプレート４に形成された曲線のガイド部４ｂに沿ってスライドハウジング３０が回転する。
【００９２】
このときに、本体ハウジング２０に形成されたストッパーピン６は、プレート３，４をスライディング移動及び回転可能にし、また、スライドまたは回転したプレート３，４を止める。また、第２のプレート４の一端には、ストッパーピン６を安着させる安着面４ｃが形成されているので、この安着面４ｃにストッパーピン６が安着され、これで、プレート３，４のスライディング移動及び回転が止まるようになる。
【００９３】
本体ハウジング２０には、マイク装置２３及び複数のキーパッド２１が提供され、このキーパッド２１と隣接した箇所には複数の補助キーパッド２２が提供される。また、スライドハウジング３０には、複数の補助キーパッド３３及びスピーカー装置３２が提供される。
【００９４】
以上に説明した本発明のスライディング／回転タイプ携帯端末機のスライディング／ヒンジ装置は、上述した実施形態及び図面によって限定されるのではなく、本発明の技術的思想を逸脱しない範囲内で各種の置換、変形及び変更が可能なことは、本発明の属する技術分野で通常の知識を持つ者にとって明らかである。例えば、本発明は、携帯可能の端末機のいずれにも適用可能である。
【図面の簡単な説明】
【００９５】
【図１】本発明の第１の実施形態に従うスライディング／回転タイプ携帯端末機のスライディング／ヒンジ装置の構成を示す分解斜視図である。
【図２】本発明の第１の実施形態に従うスライディング／回転タイプ携帯端末機のスライディング／ヒンジ装置のヒンジフレームを示す分解斜視図である。
【図３】本発明の第１の実施形態に従うスライディング／回転タイプ携帯端末機のスライディング／ヒンジ装置の結合状態を示す斜視図である。
【図４】図３に示したスライディング／回転タイプ携帯端末機のスライディング／ヒンジ装置の内部を示す切取斜視図である。
【図５】図３に示したスライディング／回転タイプ携帯端末機のスライディング／ヒンジ装置の内部を示す平面図である。
【図６】図３に示したスライディング／回転タイプ携帯端末機のスライディング／ヒンジ装置の内部を示す切取側断面図である。
【図７】図３に示した本発明の第１の実施形態に従うスライディング／回転タイプ携帯端末機のスライディング／ヒンジ装置のスライドハウジングを、スライディング移動した状態を示す斜視図である。
【図８】図７に示したスライディング／回転タイプ携帯端末機のスライディング／ヒンジ装置の内部を示す切取斜視図である。
【図９】図７に示したスライディング／回転タイプ携帯端末機のスライディング／ヒンジ装置のヒンジフレームを示す切取斜視図である。
【図１０】図７に示したスライディング／回転タイプ携帯端末機のスライディング／ヒンジ装置の内部を示す平面図である。
【図１１】図７に示したスライディング／回転タイプ携帯端末機のスライディング／ヒンジ装置の内部を示す切取側断面図である。
【図１２】本発明の第１の実施形態に従うスライディング／回転タイプ携帯端末機のスライディング／ヒンジ装置のスライドハウジングを回転させた状態を示す斜視図である。
【図１３】図１２に示したスライディング／回転タイプ携帯端末機のスライディング／ヒンジ装置の内部を示す切取斜視図である。
【図１４】本発明の第１の実施形態に従うスライディング／回転タイプ携帯端末機のスライディング／ヒンジ装置の構成を示す側断面図である。
【図１５】本発明の第２の実施形態に従うスライディング／回転タイプ携帯端末機のスライディング／ヒンジ装置の構成を示す分解斜視図である。
【図１６】本発明の第２の実施形態に従うスライディング／回転タイプ携帯端末機のスライディング／ヒンジ装置のヒンジフレームを示す分解斜視図である。
【図１７】本発明の第２の実施形態に従うスライディング／回転タイプ携帯端末機のスライディング／ヒンジ装置の結合状態を示す斜視図である。
【図１８】図１７に示したスライディング／回転タイプ携帯端末機のスライディング／ヒンジ装置の内部を示す切取斜視図である。
【図１９】図１７に示したスライディング／回転タイプ携帯端末機のスライディング／ヒンジ装置の内部を示す平面図である。
【図２０】本発明の第２の実施形態に従うスライディング／回転タイプ携帯端末機のスライディング／ヒンジ装置のスライドハウジングを、スライディング移動した状態を示す斜視図である。
【図２１】図２０に示したスライディング／回転タイプ携帯端末機のスライディング／ヒンジ装置の内部を示す切取斜視図である。
【図２２】図２０に示したスライディング／回転タイプ携帯端末機のスライディング／ヒンジ装置のヒンジフレームを示す切取斜視図である。
【図２３】図２０に示したスライディング／回転タイプ携帯端末機のスライディング／ヒンジ装置の内部を示す平面図である。
【図２４】本発明の第２の実施形態に従うスライディング／回転タイプ携帯端末機のスライディング／ヒンジ装置のスライドハウジングを回転させた状態を示す斜視図である。
【図２５】図２３に示したスライディング／回転タイプ携帯端末機のスライディング／ヒンジ装置の内部を示す切取斜視図である。
【図２６】本発明の第２の実施形態に従うスライディング／回転タイプ携帯端末機のスライディング／ヒンジ装置の構成を示す側断面図である。
【図２７】本発明の第３の実施形態に従うスライディング／回転タイプ携帯端末機のスライディング／ヒンジ装置の構成を示す分解斜視図である。
【図２８】図２７に示したスライディング／回転タイプ携帯端末機のスライディング／ヒンジ装置の内部を示す平面図である。
【図２９】図２７に示したスライディング／回転タイプ携帯端末機のスライディング／ヒンジ装置の作動状態を示す平面図である。
【図３０】本発明の第３の実施形態に従うスライディング／回転タイプ携帯端末機のスライディング／ヒンジ装置のスライドハウジングを回転させた状態を示す内部平面図である。
【図３１】図３０に示したスライディング／回転タイプ携帯端末機のスライディング／ヒンジ装置の内部を示す斜視図である。
【図３２】本発明の第４の実施形態に従うスライディング／回転タイプ携帯端末機のスライディング／ヒンジ装置の構成を示す分解斜視図である。
【図３３】本発明の第４の実施形態に従うスライディング／回転タイプ携帯端末機のスライディング／ヒンジ装置のヒンジフレームを示す分解斜視図である。
【図３４】本発明の第４の実施形態に従うスライディング／回転タイプ携帯端末機のスライディング／ヒンジ装置のプレートを示す分解斜視図である。
【図３５】本発明の第４の実施形態に従うスライディング／回転タイプ携帯端末機のスライディング／ヒンジ装置の結合状態を示す斜視図である。
【図３６】図３５に示したスライディング／回転タイプ携帯端末機のスライディング／ヒンジ装置の内部を示す斜視図である。
【図３７】図３５に示したスライディング／回転タイプ携帯端末機のスライディング／ヒンジ装置の内部を示す切取斜視図である。
【図３８】図３５に示したスライディング／回転タイプ携帯端末機のスライディング／ヒンジ装置の内部を示す切取平面図である。
【図３９】本発明の第４の実施形態に従うスライディング／回転タイプ携帯端末機のスライディング／ヒンジ装置のスライドハウジングを、スライディング移動した状態を示す斜視図である。
【図４０】図３９に示したスライディング／回転タイプ携帯端末機のスライディング／ヒンジ装置の内部を示す斜視図である。
【図４１】図３９に示したスライディング／回転タイプ携帯端末機のスライディング／ヒンジ装置の内部を示す切取斜視図である。
【図４２】図３９に示したスライディング／回転タイプ携帯端末機のスライディング／ヒンジ装置の内部を示す切取平面図である。
【図４３】本発明の第４の実施形態に従うスライディング／回転タイプ携帯端末機のスライディング／ヒンジ装置のスライドハウジングを回転させた状態を示す斜視図である。
【図４４】図４３に示したスライディング／回転タイプ携帯端末機のスライディング／ヒンジ装置の内部を示す斜視図である。
【図４５】図４３に示したスライディング／回転タイプ携帯端末機のスライディング／ヒンジ装置の内部を示す切取斜視図である。
【図４６】図４３に示したスライディング／回転タイプ携帯端末機のスライディング／ヒンジ装置の内部を示す平面図である。
【図４７】本発明の第４の実施形態に従うスライディング／回転タイプ携帯端末機のスライディング／ヒンジ装置の構成を示す側断面図である。
【図４８】本発明の第５の実施形態に従うスライディング／回転タイプ携帯端末機のスライディング／ヒンジ装置の構成を示す分解斜視図である。
【図４９】本発明の第５の実施形態に従うスライディング／回転タイプ携帯端末機のスライディング／ヒンジ装置のヒンジフレームを示す分解斜視図である。
【図５０】本発明の第５の実施形態に従うスライディング／回転タイプ携帯端末機のスライディング／ヒンジ装置のプレートを示す分解斜視図である。
【図５１】本発明の第５の実施形態に従うスライディング／回転タイプ携帯端末機のスライディング／ヒンジ装置の結合状態を示す斜視図である。
【図５２】図５１に示したスライディング／回転タイプ携帯端末機のスライディング／ヒンジ装置の内部を示す斜視図である。
【図５３】図５２に示したスライディング／回転タイプ携帯端末機のスライディング／ヒンジ装置の内部を示す切取斜視図である。
【図５４】図５２に示したスライディング／回転タイプ携帯端末機のスライディング／ヒンジ装置の内部を示す切取平面図である。
【図５５】本発明の第５の実施形態に従うスライディング／回転タイプ携帯端末機のスライディング／ヒンジ装置のスライドハウジングをスライディング移動した状態を示す斜視図である。
【図５６】図５５に示したスライディング／回転タイプ携帯端末機のスライディング／ヒンジ装置の内部を示す斜視図である。
【図５７】図５５に示したスライディング／回転タイプ携帯端末機のスライディング／ヒンジ装置の内部を示す切取斜視図である。
【図５８】図５５に示したスライディング／回転タイプ携帯端末機のスライディング／ヒンジ装置の内部を示す平面図である。
【図５９】本発明の第５の実施形態に従うスライディング／回転タイプ携帯端末機において、第１及び第２のプレートの結合状態を示す斜視図である。
【図６０】本発明の第５の実施形態に従うスライディング／回転タイプ携帯端末機において、第１及び第２のプレートのスライディング移動状態を示す斜視図である。
【図６１】本発明の第５の実施形態に従うスライディング／回転タイプ携帯端末機のスライディング／ヒンジ装置のスライドハウジングを回転させた状態を示す斜視図である。
【図６２】図６１に示したスライディング／回転タイプ携帯端末機のスライディング／ヒンジ装置の内部を示す斜視図である。
【図６３】図６１に示したスライディング／回転タイプ携帯端末機のスライディング／ヒンジ装置の内部を示す切取斜視図である。
【図６４】図６３に示したスライディング／回転タイプ携帯端末機のスライディング／ヒンジ装置において、Ａ部分を拡大した斜視図である。
【図６５】図６１に示したスライディング／回転タイプ携帯端末機のスライディング／ヒンジ装置の内部を示す平面図である。
【図６６】本発明の第５の実施形態に従うスライディング／回転タイプ携帯端末機のスライディング／ヒンジ装置の構成を示す側断面図である。
【符号の説明】
【００９６】
１  第１のヒンジフレーム
１ａ  ヒンジフレーム側貫通穴
１ｂ  ボールガイド溝
１ｃ  ボール溝
１ｄ  ストッパー突起
１ｅ  ネジ締結部
１ｆ  固定突起
２  第２のヒンジフレーム
２ａ  第２のヒンジフレーム側貫通穴
２ｂ  シリンダー
２ｃ  バネ穴
２ｄ  ボール
２ｅ  ストッパー穴
２ｆ  ネジ締結穴
２ｇ  第２のヒンジフレームの締結突起
３  第１のプレート
３ａ  第１のスライドバー
３ｂ  第２のスライドバー
３ｃ  ネジ穴
３ｄ  プレート側固定穴
３ｅ  リベットピン溝
３ｆ  止め部
３ｇ  ストッパー部
３ｈ  ネジ支持突起
４  第２のプレート
４ａ  ガイド部
４ｂ  ガイド部
４ｃ  止め突起
４ｄ  バネ締結穴
４ｅ  第２のプレート側貫通穴
４ｆ  第２のプレート側ネジ穴
５  ガイド手段
５ａ  突起
５ｂ  ガイドレール
６  ストッパーピン
７  衝撃吸収材
８  摩擦防止リング
１０  スライディング／ヒンジ装置
２０  本体ハウジング
２１  キーパッド
２２  締結穴
２３  マイク装置
２４  ハウジング側挿入穴
２５  ネジ溝
２６  固定穴
３０  スライドハウジング
３１  液晶表示部
３２  スピーカー装置
３３  補助キーパッド
３４  第１及び第２のプレート
４０  第１のヒンジフレーム
４１  ストッパー
４２  第１のヒンジフレーム側貫通穴
４３  ボール溝
４４  ネジ締結部
４５  回転ストッパー
４６  ボールガイド溝
５０  第２のヒンジフレーム
５１  第２のヒンジフレーム側貫通穴
５２  シリンダー
５３  バネ穴
５４  ボール
５５  ガイド溝
５６  ストッパー突起
５７  圧縮バネ
５８  支持溝
６０  第１のプレート
６１  結合穴
６２  ネジ穴
６３  第１のプレート側貫通穴
６４  支持突起
６５  ガイド穴
６６  固定穴
７０  第２のプレート
７２  ネジ穴
７３  ピン
７４  第２のプレート側貫通穴
７７  結合突起
８０  スライドバー
８１  第１のスライドバー
８１ａ  突起
８２  第２のスライドバー
８３  第３のスライドバー
９０  結合手段
９１  ブシュ
９２  スナップリング
９３  ネジ
９４  リングバネ
９４ａ  リングバネの一端
９４ｂ  リングバネの他端
１００  第１のヒンジフレーム
１０１  ストッパー
１０２  第１のヒンジフレーム側貫通穴
１０３  ワッシャ溝
１０４  ネジ締結部
１０５  回転ストッパー
２００  第２のヒンジフレーム
２０１  ヒンジハウジング
２０１ａ  固定溝
２０４  ガイド溝
２０５  ストッパー突起
３００  スライドバー
３０１  第１のスライドバー
３０２  第２のスライドバー
４００  回転ワッシャ
４０１  ワッシャ突起
４０２  固定突起
５００  スナップリング
５７０  圧縮バネ
６００  圧縮バネ
９３０  ネジ
９４０  リングバネ
９５０  リベットピン
１０００  ピンガイド穴
２０００  ガイドピン
３０００  第１のヒンジフレーム
３００１  第１のヒンジフレーム側貫通穴
３００２  ボールガイド溝
３００４  ストッパー突起
３００５  ピン溝
４０００  第２のヒンジフレーム
４００１  第２のヒンジフレーム側貫通穴
４００２  シリンダー
４００３  バネ穴
４００４  ボール
４００５  ネジ締結部
４００５ａ  固定突起
４００５ｂ  結合溝
４００５ｃ  ネジ穴
４００６  ストッパー部
４００７  ストッパーリング
５０００  第１のプレート
５００１  バー締結部
５００２  固定穴
５００３  第１のプレート側ネジ締結部
５００４  リベットピン溝
６０００  第２のプレート
６００１  ガイド溝
６００２  ガイド部
６００２ａ  ガイド部の上部
６００２ｂ  ガイド部の下部
６００３  バネ側締結穴
６００４  第２のプレート側貫通穴
６００５  第２のプレート側ネジ穴
７０００  第１のスライドバー
７００１  ガイド突起
８０００  第２のスライドバー
８００１  ガイド突起
９０００  ガイドピン
Ａ１  ヒンジ軸
【図１】
2005147401.tif 000003
【図２】
2005147401.tif 000004
【図３】
2005147401.tif 000005
【図４】
2005147401.tif 000006
【図５】
2005147401.tif 000007
【図６】
2005147401.tif 000008
【図７】
2005147401.tif 000009
【図８】
2005147401.tif 000010
【図９】
2005147401.tif 000011
【図１０】
2005147401.tif 000012
【図１１】
2005147401.tif 000013
【図１２】
2005147401.tif 000014
【図１３】
2005147401.tif 000015
【図１４】
2005147401.tif 000016
【図１５】
2005147401.tif 000017
【図１６】
2005147401.tif 000018
【図１７】
2005147401.tif 000019
【図１８】
2005147401.tif 000020
【図１９】
2005147401.tif 000021
【図２０】
2005147401.tif 000022
【図２１】
2005147401.tif 000023
【図２２】
2005147401.tif 000024
【図２３】
2005147401.tif 000025
【図２４】
2005147401.tif 000026
【図２５】
2005147401.tif 000027
【図２６】
2005147401.tif 000028
【図２７】
2005147401.tif 000029
【図２８】
2005147401.tif 000030
【図２９】
2005147401.tif 000031
【図３０】
2005147401.tif 000032
【図３１】
2005147401.tif 000033
【図３２】
2005147401.tif 000034
【図３３】
2005147401.tif 000035
【図３４】
2005147401.tif 000036
【図３５】
2005147401.tif 000037
【図３６】
2005147401.tif 000038
【図３７】
2005147401.tif 000039
【図３８】
2005147401.tif 000040
【図３９】
2005147401.tif 000041
【図４０】
2005147401.tif 000042
【図４１】
2005147401.tif 000043
【図４２】
2005147401.tif 000044
【図４３】
2005147401.tif 000045
【図４４】
2005147401.tif 000046
【図４５】
2005147401.tif 000047
【図４６】
2005147401.tif 000048
【図４７】
2005147401.tif 000049
【図４８】
2005147401.tif 000050
【図４９】
2005147401.tif 000051
【図５０】
2005147401.tif 000052
【図５１】
2005147401.tif 000053
【図５２】
2005147401.tif 000054
【図５３】
2005147401.tif 000055
【図５４】
2005147401.tif 000056
【図５５】
2005147401.tif 000057
【図５６】
2005147401.tif 000058
【図５７】
2005147401.tif 000059
【図５８】
2005147401.tif 000060
【図５９】
2005147401.tif 000061
【図６０】
2005147401.tif 000062
【図６１】
2005147401.tif 000063
【図６２】
2005147401.tif 000064
【図６３】
2005147401.tif 000065
【図６４】
2005147401.tif 000066
【図６５】
2005147401.tif 000067
【図６６】
2005147401.tif 000068